(57)【要約】【課題】主電源の停電に備えた予備電源の劣化状況を判定し、判定結果を遠隔地に通知する。【解決手段】  高圧受電設備監視システム１は、高圧受電設備１１、監視装置１２、電制御装置１４、並びに監視装置１２の保守監視員によって操作される携帯電話機１７およびパーソナルコンピュータ（ＰＣ）１８から構成される。監視装置１２は、高圧受電設備１１の状態を監視するだけでなく、内蔵する予備電源のバッテリテストモード時における時系列の電圧測定値および温度測定値も監視し、通信回線１３を介して制御装置１４に通知する。制御装置１４は、監視装置１２から通知された予備電源２４のバッテリテストモード時における時系列の電圧測定値および温度測定値に基づき、予備電池２４の劣化の程度を判定し、判定結果を電子メールで携帯電話機１７宛に送信する。本発明は、高圧受電設備の監視システムに適用できる。【選択図】図１
2006311648.tif 000002
【特許請求の範囲】
【請求項１】
主電源が停電したとき、前記主電源に代わって給電を行うための予備電源を備えた第１の装置と、
前記第１の装置から前記予備電源に関する測定値を取得する第２の装置と、
前記第２の装置から通知された前記予備電源の状態を示す情報をユーザに提示する端末装置とから構成される遠隔監視システムにおいて、
前記第１の装置は、
前記予備電源の状態をテストするためのテストモードであるとき、または前記主電源が停電したとき、給電元を前記主電源から前記予備電源に切り換える切り換え手段と、
前記切り換え手段によって給電元が前記主電源から前記予備電源に切り換えられた状態で、前記予備電源の時系列の電圧または温度の少なくとも一方を測定する測定手段と、
前記測定手段の測定結果を前記第２の装置に通知する通知手段とを含み、
前記第２の装置は、
前記端末装置からの要求に従い、前記第１の装置に対して前記テストモードの開始を指示する指示手段と、
前記第１の装置から通知された前記予備電源の時系列の電圧測定値または温度測定値の少なくとも一方に基づき、前記予備電源の状態を判定する判定手段と、
前記判定手段の判定結果を示す情報を前記端末装置に送信する送信手段とを含み、
前記端末装置は、
前記第２の装置に対し、前記第１の装置に対して前記テストモードの開始を指示するように要求する要求手段と、
前記第２の装置から送信された、前記予備電源の状態の判定結果を示す情報をユーザに提示する提示手段とを含む
ことを特徴とする遠隔監視システム。
【請求項２】
主電源が停電したとき、前記主電源に代わって給電を行うための予備電源を備えた第１の装置と、
前記第１の装置から前記予備電源に関する測定値を取得する第２の装置と、
前記第２の装置から通知された前記予備電源の状態を示す情報をユーザに提示する端末装置とから構成される遠隔監視システムの遠隔監視方法において、
前記端末装置における、前記第２の装置に対し、前記第１の装置に対して前記予備電源の状態をテストするためのテストモードの開始を指示するように要求する要求ステップと、
前記第２の装置における、前記端末装置からの要求に従い、前記第１の装置に対して前記テストモードの開始を指示する指示ステップと、
前記第１の装置における、前記第２の装置からの指示に対応して前記テストモードを開始し、給電元を前記主電源から前記予備電源に切り換える切り換えステップと、
前記第１の装置における、前記切り換えステップの処理で給電元が前記主電源から前記予備電源に切り換えられた状態で、前記予備電源の時系列の電圧または温度の少なくとも一方を測定して前記第２の装置に通知する通知ステップと、
前記第２の装置における、前記第１の装置から通知された前記予備電源の時系列の電圧測定値または温度測定値の少なくとも一方に基づき、前記予備電源の状態を判定する判定ステップと、
前記第２の装置における、前記判定ステップの処理での判定結果を示す情報を前記端末装置に送信する送信ステップと、
前記端末装置における、前記第２の装置から送信された、前記予備電源の状態の判定結果を示す情報をユーザに提示する提示ステップとを含む
ことを特徴とする遠隔監視方法。
【請求項３】
主電源が停電したときに前記主電源に代わって給電を行うための予備電源を備える監視装置に対し、前記予備電源の状態をテストするためのテストモードの開始を指示する指示手段と、
前記テストモードにおける前記予備電源の時系列の電圧測定値または温度測定値の少なくとも一方を前記監視装置から取得する取得手段と、
前記取得手段によって取得された前記テストモードにおける前記予備電源の時系列の電圧測定値または温度測定値の少なくとも一方に基づき、前記予備電源の状態を判定する判定手段と、
前記判定手段の判定結果を示す情報を送信する送信手段と
を含むことを特徴とする情報処理装置。
【請求項４】
前記指示手段は、ネットワークを介して他の情報処理装置から送信された要求に対応し、前記監視装置に対し、前記テストモードの開始を指示する
ことを特徴とする請求項３に記載の情報処理装置。
【請求項５】
前記判定手段の判定結果を示す前記情報は、電子メールである
ことを特徴とする請求項３に記載の情報処理装置。
【請求項６】
主電源が停電したときに前記主電源に代わって給電を行うための予備電源を備える監視装置に対し、前記予備電源の状態をテストするためのテストモードの開始を指示する指示ステップと、
前記テストモードにおける前記予備電源の時系列の電圧測定値または温度測定値の少なくとも一方を前記監視装置から取得する取得ステップと、
前記取得ステップの処理で取得された前記テストモードにおける前記予備電源の時系列の電圧測定値または温度測定値の少なくとも一方に基づき、前記予備電源の状態を判定する判定ステップと、
前記判定ステップの処理での判定結果を示す情報を送信する送信ステップと
を含むことを特徴とする情報処理方法。
【請求項７】
主電源が停電したときに前記主電源に代わって給電を行うための予備電源を備える監視装置に対し、前記予備電源の状態をテストするためのテストモードの開始を指示する指示ステップと、
前記テストモードにおける前記予備電源の時系列の電圧測定値または温度測定値の少なくとも一方を前記監視装置から取得する取得ステップと、
前記取得ステップの処理で取得された前記テストモードにおける前記予備電源の時系列の電圧測定値または温度測定値の少なくとも一方に基づき、前記予備電源の状態を判定する判定ステップと、
前記判定ステップの処理での判定結果を示す情報を送信する送信ステップと
を含む処理をコンピュータに実行させることを特徴とするプログラム。
【請求項８】
主電源が停電したとき、前記主電源に代わって給電を行うための予備電源を備えた情報処理装置において、
所定の端末装置から、前記予備電源の状態をテストするためのテストモードの開始を指示されたとき、または前記主電源が停電したとき、給電元を前記主電源から前記予備電源に切り換える切り換え手段と、
切り換え手段によって給電元が前記主電源から前記予備電源に切り換えられた状態で、前記予備電源の時系列の電圧または温度の少なくとも一方を測定する測定手段と、
前記測定手段の測定結果に基づき、前記予備電源の状態を判定する判定手段と、
前記判定手段の判定結果を示す情報を前記端末装置に送信する送信手段と
を含むことを特徴とする情報処理装置。
【請求項９】
主電源が停電したとき、前記主電源に代わって給電を行うための予備電源を備えた情報処理置の情報処理方法において、
所定の端末装置から、前記予備電源の状態をテストするためのテストモードの開始を指示されたとき、または前記主電源が停電したとき、給電元を前記主電源から前記予備電源に切り換える切り換えステップと、
切り換えステップの処理で給電元が前記主電源から前記予備電源に切り換えられた状態で、前記予備電源の時系列の電圧または温度の少なくとも一方を測定する測定ステップと、
前記測定ステップの処理での測定結果に基づき、前記予備電源の状態を判定する判定ステップと、
前記判定ステップの処理での判定結果を示す情報を前記端末装置に送信する送信ステップと
を含むことを特徴とする情報処理方法。
【請求項１０】
主電源が停電したとき、前記主電源に代わって給電を行うための予備電源を備えた情報処理装置の制御用のプログラムであって、
所定の端末装置から、前記予備電源の状態をテストするためのテストモードの開始を指示されたとき、または前記主電源が停電したとき、給電元を前記主電源から前記予備電源に切り換える切り換えステップと、
切り換えステップの処理で給電元が前記主電源から前記予備電源に切り換えられた状態で、前記予備電源の時系列の電圧または温度の少なくとも一方を測定する測定ステップと、
前記測定ステップの処理での測定結果に基づき、前記予備電源の状態を判定する判定ステップと、
前記判定ステップの処理での判定結果を示す情報を前記端末装置に送信する送信ステップと
を含む処理をコンピュータに実行させることを特徴とするプログラム。
【請求項１１】
内部に電源を備えた情報処理装置において、
所定の端末装置から、前記電源の状態をテストするためのテストモードの開始を指示されたとき、前記電源の時系列の電圧または温度の少なくとも一方を測定する測定手段と、
前記測定手段の測定結果に基づき、前記電源の状態を判定する判定手段と、
前記判定手段の判定結果を示す情報を前記端末装置に送信する送信手段と
を含むことを特徴とする情報処理装置。
【請求項１２】
前記判定手段は、保持している判定履歴と前記測定手段の測定結果とを比較することにより、前記電源の状態を判定する
ことを特徴とする請求項１１に記載の情報処理装置。
【請求項１３】
内部に電源を備えた情報処理装置の情報処理方法において、
所定の端末装置から、前記電源の状態をテストするためのテストモードの開始を指示されたとき、前記電源の時系列の電圧または温度の少なくとも一方を測定する測定ステップと、
前記測定ステップの処理の測定結果に基づき、前記電源の状態を判定する判定ステップと、
前記判定ステップの処理での判定結果を示す情報を前記端末装置に送信する送信ステップと
を含むことを特徴とする情報処理方法。
【請求項１４】
内部に電源を備えた情報処理装置を制御するためのプログラムであって、
所定の端末装置から、前記電源の状態をテストするためのテストモードの開始を指示されたとき、前記電源の時系列の電圧または温度の少なくとも一方を測定する測定ステップと、
前記測定ステップの処理の測定結果に基づき、前記電源の状態を判定する判定ステップと、
前記判定ステップの処理での判定結果を示す情報を前記端末装置に送信する送信ステップと
を含む処理をコンピュータに実行させることを特徴とするプログラム。
【発明の詳細な説明】
【技術分野】
【０００１】
本発明は、遠隔監視システム、遠隔監視方法、情報処理装置および方法、並びにプログラムに関し、例えば、主電源の停電に備えた予備電源の状態を遠隔監視する場合に用いて好適な遠隔監視システム、遠隔監視方法、情報処理装置および方法、並びにプログラムに関する。
【背景技術】
【０００２】
例えば工場等に安定した電力を供給するために設けられた高圧受電設備には、停電の発生、供給される電力、漏洩電流値等を検出し、検出結果を所定の遠隔地に通知するための監視装置が設けられている。この監視装置は、監視対象の電力系と同じ電力によって駆動されているので、停電においても監視と通知の動作を継続できるように予備電源（バッテリ）が設けられている（例えば、特許文献１参照）。
【０００３】
上述したように、予備電源は主電源が停電したときに使用されるという重要な役目を担っている。そこで従来、高圧受電設備の保安作業員等により、監視装置の予備電源の劣化を検出し、必要に応じて換装する等の処理が保安業務の一環として行われている。
【０００４】
【特許文献１】特開平５−１９９６７７号公報
【発明の開示】
【発明が解決しようとする課題】
【０００５】
ところで、監視装置は高圧受電設備の状態を検出して遠隔地に通知しているので、これと同様、監視装置の予備電源の劣化も検出して遠隔地に通知するようにすれば、保安作業員の保安業務が軽減されて便利である。これは高圧受電設備の保守業務に限った要求ではなく、予備電源を備えるあらゆる種類の装置に係る保守業務に共通の要求である。
【０００６】
予備電源の劣化を検出する方法としては予備電源の電圧を測定する方法が考えられるが単に予備電源の電圧を測定しただけでは、予備電源のメモリ効果の進行状況、劣化の程度、交換の時期を把握することができないという課題があった。
【０００７】
本発明はこのような状況に鑑みてなされたものであり、主電源の停電に備えた予備電源の劣化状況を判定し、判定結果を遠隔地に通知できるようにするものである。
【課題を解決するための手段】
【０００８】
請求項１に記載の遠隔監視システムは、第１の装置が、予備電源の状態をテストするためのテストモードであるとき、または主電源が停電したとき、給電元を主電源から予備電源に切り換える切り換え手段と、切り換え手段によって給電元が主電源から予備電源に切り換えられた状態で、予備電源の時系列の電圧または温度の少なくとも一方を測定する測定手段と、測定手段の測定結果を第２の装置に通知する通知手段とを含み、第２の装置が、端末装置からの要求に従い、第１の装置に対してテストモードの開始を指示する指示手段と、第１の装置から通知された予備電源の時系列の電圧測定値または温度測定値の少なくとも一方に基づき、予備電源の状態を判定する判定手段と、判定手段の判定結果を示す情報を端末装置に送信する送信手段とを含み、端末装置が、第２の装置に対し、第１の装置に対してテストモードの開始を指示するように要求する要求手段と、第２の装置から送信された、予備電源の状態の判定結果を示す情報をユーザに提示する提示手段とを含むことを特徴とする。
【０００９】
請求項１に記載の遠隔監視システムにおいては、端末装置によって、第２の装置に対し、第１の装置に対して予備電源の状態をテストするためのテストモードの開始を指示するように要求され、第２の装置によって、端末装置からの要求に従い、第１の装置に対してテストモードの開始が指示される。そして、第１の装置によって、第２の装置からの指示に対応して給電元が主電源から予備電源に切り換えられ、給電元が予備電源に切り換えられた状態で、予備電源の時系列の電圧または温度の少なくとも一方が測定されて第２の装置に通知される。さらに、第２の装置により、第１の装置から通知された予備電源の時系列の電圧測定値または温度測定値の少なくとも一方に基づき、予備電源の状態が判定され、この判定結果を示す情報が端末装置に送信される。端末装置では、第２の装置から送信された、予備電源の状態の判定結果を示す情報がユーザに提示される。
【００１０】
したがって、第１の装置の保守業務員は、遠隔地から予備電源の状態を把握することができる。
【００１１】
請求項２に記載の遠隔監視方法は、端末装置における、第２の装置に対し、第１の装置に対して予備電源の状態をテストするためのテストモードの開始を指示するように要求する要求ステップと、第２の装置における、端末装置からの要求に従い、第１の装置に対してテストモードの開始を指示する指示ステップと、第１の装置における、第２の装置からの指示に対応してテストモードを開始し、給電元を主電源から予備電源に切り換える切り換えステップと、第１の装置における、切り換えステップの処理で給電元が主電源から予備電源に切り換えられた状態で、予備電源の時系列の電圧または温度の少なくとも一方を測定して第２の装置に通知する通知ステップと、第２の装置における、第１の装置から通知された予備電源の時系列の電圧測定値または温度測定値の少なくとも一方に基づき、予備電源の状態を判定する判定ステップと、第２の装置における、判定ステップの処理での判定結果を示す情報を端末装置に送信する送信ステップと、端末装置における、第２の装置から送信された、予備電源の状態の判定結果を示す情報をユーザに提示する提示ステップとを含むことを特徴とする。
【００１２】
請求項２に記載の遠隔監視方法においては、端末装置によって、第２の装置に対し、第１の装置に対して予備電源の状態をテストするためのテストモードの開始を指示するように要求され、第２の装置によって、端末装置からの要求に従い、第１の装置に対してテストモードの開始が指示される。そして、第１の装置によって、第２の装置からの指示に対応して給電元が主電源から予備電源に切り換えられ、給電元が予備電源に切り換えられた状態で、予備電源の時系列の電圧または温度の少なくとも一方が測定されて第２の装置に通知される。さらに、第２の装置により、第１の装置から通知された予備電源の時系列の電圧測定値または温度測定値の少なくとも一方に基づき、予備電源の状態が判定され、この判定結果を示す情報が端末装置に送信される。端末装置では、第２の装置から送信された、予備電源の状態の判定結果を示す情報がユーザに提示される。
【００１３】
したがって、請求項１に記載の遠隔監視システムと同様に、第１の装置の保守業務員は、遠隔地から予備電源の状態を把握することができる。
【００１４】
請求項３に記載の情報処理装置は、主電源が停電したときに主電源に代わって給電を行うための予備電源を備える監視装置に対し、予備電源の状態をテストするためのテストモードの開始を指示する指示手段と、テストモードにおける予備電源の時系列の電圧測定値または温度測定値の少なくとも一方を監視装置から取得する取得手段と、取得手段によって取得されたテストモードにおける予備電源の時系列の電圧測定値または温度測定値の少なくとも一方に基づき、予備電源の状態を判定する判定手段と、判定手段の判定結果を示す情報を送信する送信手段とを含むことを特徴とする。
【００１５】
請求項３に記載の情報処理装置においては、主電源が停電したときに主電源に代わって給電を行うための予備電源を備える監視装置に対し、予備電源の状態をテストするためのテストモードの開始が指示され、テストモードにおける予備電源の時系列の電圧測定値または温度測定値の少なくとも一方が監視装置から取得され、取得されたテストモードにおける予備電源の時系列の電圧測定値または温度測定値の少なくとも一方に基づき、予備電源の状態が判定されて、この判定結果を示す情報が送信される。
【００１６】
したがって、テストモードにおける予備電源の時系列の電圧測定値または温度測定値の少なくとも一方に基づく、予備電源の状態の判定結果を、遠隔地にいる保守業務員に通知することができる。
【００１７】
前記指示手段は、ネットワークを介して他の情報処理装置から送信された要求に対応し、監視装置に対し、テストモードの開始を指示するようにすることができる。
【００１８】
前記判定手段の判定結果を示す情報は、電子メールとすることができる。
【００１９】
請求項６に記載の情報処理方法は、主電源が停電したときに主電源に代わって給電を行うための予備電源を備える監視装置に対し、予備電源の状態をテストするためのテストモードの開始を指示する指示ステップと、テストモードにおける予備電源の時系列の電圧測定値または温度測定値の少なくとも一方を監視装置から取得する取得ステップと、取得ステップの処理で取得されたテストモードにおける予備電源の時系列の電圧測定値または温度測定値の少なくとも一方に基づき、予備電源の状態を判定する判定ステップと、判定ステップの処理での判定結果を示す情報を送信する送信ステップとを含むことを特徴とする。
【００２０】
請求項７に記載のプログラムは、主電源が停電したときに主電源に代わって給電を行うための予備電源を備える監視装置に対し、予備電源の状態をテストするためのテストモードの開始を指示する指示ステップと、テストモードにおける予備電源の時系列の電圧測定値または温度測定値の少なくとも一方を監視装置から取得する取得ステップと、取得ステップの処理で取得されたテストモードにおける予備電源の時系列の電圧測定値または温度測定値の少なくとも一方に基づき、予備電源の状態を判定する判定ステップと、判定ステップの処理での判定結果を示す情報を送信する送信ステップとを含む処理をコンピュータに実行させることを特徴とする。
【００２１】
請求項６に記載の情報処理方法、および請求項７に記載のプログラムにおいては、テストモードにおける予備電源の時系列の電圧測定値または温度測定値の少なくとも一方が監視装置から取得され、取得されたテストモードにおける予備電源の時系列の電圧測定値または温度測定値の少なくとも一方に基づき、予備電源の状態が判定されて判定結果を示す情報が送信される。
【００２２】
したがって、請求項３の情報処理装置と同様に、テストモードにおける予備電源の時系列の電圧測定値または温度測定値の少なくとも一方に基づく、予備電源の状態の判定結果を、遠隔地にいる保守業務員に通知することができる。
【００２３】
請求項８に記載の情報処理装置は、所定の端末装置から、予備電源の状態をテストするためのテストモードの開始を指示されたとき、または主電源が停電したとき、給電元を主電源から予備電源に切り換える切り換え手段と、切り換え手段によって給電元が主電源から予備電源に切り換えられた状態で、予備電源の時系列の電圧または温度の少なくとも一方を測定する測定手段と、測定手段の測定結果に基づき、予備電源の状態を判定する判定手段と、判定手段の判定結果を示す情報を端末装置に送信する送信手段とを含むことを特徴とする。
【００２４】
請求項８に記載の情報処理装置においては、所定の端末装置から、予備電源の状態をテストするためのテストモードの開始を指示されたとき、または主電源が停電したとき、給電元が主電源から予備電源に切り換えられ、給電元が主電源から予備電源に切り換えられた状態で、予備電源の時系列の電圧または温度の少なくとも一方が測定され、この測定結果に基づき、予備電源の状態が判定されて判定結果を示す情報が端末装置に送信される。
【００２５】
したがって、予備電源の状態の判定結果を、遠隔地にいる保守業務員に通知することができる。
【００２６】
請求項９に記載の情報処理方法は、所定の端末装置から、予備電源の状態をテストするためのテストモードの開始を指示されたとき、または主電源が停電したとき、給電元を主電源から予備電源に切り換える切り換えステップと、切り換えステップの処理で給電元が主電源から予備電源に切り換えられた状態で、予備電源の時系列の電圧または温度の少なくとも一方を測定する測定ステップと、測定ステップの処理での測定結果に基づき、予備電源の状態を判定する判定ステップと、判定ステップの処理での判定結果を示す情報を端末装置に送信する送信ステップとを含むことを特徴とする。
【００２７】
請求項１０に記載のプログラムは、所定の端末装置から、予備電源の状態をテストするためのテストモードの開始を指示されたとき、または主電源が停電したとき、給電元を主電源から予備電源に切り換える切り換えステップと、切り換えステップの処理で給電元が主電源から予備電源に切り換えられた状態で、予備電源の時系列の電圧または温度の少なくとも一方を測定する測定ステップと、測定ステップの処理での測定結果に基づき、予備電源の状態を判定する判定ステップと、判定ステップの処理での判定結果を示す情報を端末装置に送信する送信ステップとを含む処理をコンピュータに実行させることを特徴とする。
【００２８】
請求項９に記載の情報処理方法、および請求項１０に記載のプログラムにおいては、所定の端末装置から、予備電源の状態をテストするためのテストモードの開始を指示されたとき、または主電源が停電したとき、給電元が主電源から予備電源に切り換えられ、給電元が主電源から予備電源に切り換えられた状態で、予備電源の時系列の電圧または温度の少なくとも一方が測定され、この測定結果に基づき、予備電源の状態が判定されて判定結果を示す情報が端末装置に送信される。
【００２９】
したがって、請求項８に記載の情報処理装置と同様に、予備電源の状態の判定結果を、遠隔地にいる保守業務員に通知することができる。
【００３０】
請求項１１に記載の情報処理装置は、所定の端末装置から、電源の状態をテストするためのテストモードの開始を指示されたとき、電源の時系列の電圧または温度の少なくとも一方を測定する測定手段と、測定手段の測定結果に基づき、電源の状態を判定する判定手段と、判定手段の判定結果を示す情報を端末装置に送信する送信手段とを含むことを特徴とする。
【００３１】
請求項１１に記載の情報処理装置においては、所定の端末装置から、電源の状態をテストするためのテストモードの開始を指示されたとき、電源の時系列の電圧または温度の少なくとも一方が測定され、この測定結果に基づき、電源の状態が判定され、この判定結果を示す情報が端末装置に送信される。
【００３２】
したがって、電源の状態の判定結果を、遠隔地にいる保守業務員に通知することができる。
【００３３】
前記判定手段は、保持している判定履歴と測定手段の測定結果とを比較することにより、電源の状態を判定するようにすることができる。
【００３４】
請求項１３に記載の情報処理方法は、所定の端末装置から、電源の状態をテストするためのテストモードの開始を指示されたとき、電源の時系列の電圧または温度の少なくとも一方を測定する測定ステップと、測定ステップの処理の測定結果に基づき、電源の状態を判定する判定ステップと、判定ステップの処理での判定結果を示す情報を端末装置に送信する送信ステップとを含むことを特徴とする。
【００３５】
請求項１４に記載のプログラムは、所定の端末装置から、電源の状態をテストするためのテストモードの開始を指示されたとき、電源の時系列の電圧または温度の少なくとも一方を測定する測定ステップと、測定ステップの処理の測定結果に基づき、電源の状態を判定する判定ステップと、判定ステップの処理での判定結果を示す情報を端末装置に送信する送信ステップとを含む処理をコンピュータに実行させることを特徴とする。
【００３６】
請求項１３に記載の情報処理方法および請求項１４に記載のプログラムにおいては、所定の端末装置から、電源の状態をテストするためのテストモードの開始を指示されたとき、電源の時系列の電圧または温度の少なくとも一方が測定され、この測定結果に基づき、電源の状態が判定され、この判定結果を示す情報が端末装置に送信される。
【００３７】
したがって、請求項１１に記載の情報処理装置と同様に、電源の状態の判定結果を、遠隔地にいる保守業務員に通知することができる。
【発明の効果】
【００３８】
本発明によれば、主電源の停電に備えた予備電源の劣化状況を判定し、判定結果を遠隔地に通知することが可能となる。
【発明を実施するための最良の形態】
【００３９】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００４０】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加されたりする発明の存在を否定するものではない。
【００４１】
請求項１に記載の遠隔監視システム（例えば、図１の高圧受電設備監視システム１）は、第１の装置（例えば、図１の監視装置１２）が、予備電源の状態をテストするためのテストモードであるとき、または主電源が停電したとき、給電元を主電源から予備電源に切り換える切り換え手段（例えば、図２の電力切換部２２）と、切り換え手段によって給電元が主電源から予備電源に切り換えられた状態で、予備電源の時系列の電圧または温度の少なくとも一方を測定する測定手段（例えば、図２の電圧測定部２５、および温度測定部２６）と、測定手段の測定結果を第２の装置に通知する通知手段（例えば、図２の通信部２７）とを含み、第２の装置（例えば、図１の制御装置１４）が、端末装置からの要求に従い、第１の装置に対してテストモードの開始を指示する指示手段（例えば、図３のコマンド生成部３４）と、第１の装置から通知された予備電源の時系列の電圧測定値または温度測定値の少なくとも一方に基づき、予備電源の状態を判定する判定手段（例えば、図３の判定部３６）と、判定手段の判定結果を示す情報を端末装置に送信する送信手段（例えば、図３の通信部３１）とを含み、端末装置が、第２の装置に対し、第１の装置に対してテストモードの開始を指示するように要求する要求手段（例えば、図５のバッテリテストモード５１を表示するディスプレイ）と、第２の装置から送信された、予備電源の状態の判定結果を示す情報をユーザに提示する提示手段（例えば、図６の電子メールを表示するディスプレイ）とを含む。
【００４２】
請求項２に記載の遠隔監視方法は、端末装置における、第２の装置に対し、第１の装置に対して予備電源の状態をテストするためのテストモードの開始を指示するように要求する要求ステップ（例えば、図４のステップＳ３）と、第２の装置における、端末装置からの要求に従い、第１の装置に対してテストモードの開始を指示する指示ステップ（例えば、図４のステップＳ１１）と、第１の装置における、第２の装置からの指示に対応してテストモードを開始し、給電元を主電源から予備電源に切り換える切り換えステップ（例えば、図４のステップＳ２１）と、第１の装置における、切り換えステップの処理で給電元が主電源から予備電源に切り換えられた状態で、予備電源の時系列の電圧または温度の少なくとも一方を測定して第２の装置に通知する通知ステップ（例えば、図４のステップＳ２３）と、第２の装置における、第１の装置から通知された予備電源の時系列の電圧測定値または温度測定値の少なくとも一方に基づき、予備電源の状態を判定する判定ステップ（例えば、図４のステップＳ１３）と、第２の装置における、判定ステップの処理での判定結果を示す情報を端末装置に送信する送信ステップ（例えば、図４のステップＳ１４）と、端末装置における、第２の装置から送信された、予備電源の状態の判定結果を示す情報をユーザに提示する提示ステップ（例えば、図４のステップＳ４）とを含む。
【００４３】
請求項３に記載の情報処理装置（例えば、図１の制御装置１４）は、主電源が停電したときに主電源に代わって給電を行うための予備電源を備える監視装置に対し、予備電源の状態をテストするためのテストモードの開始を指示する指示手段（例えば、図３のコマンド発生部３４）と、テストモードにおける予備電源の時系列の電圧測定値または温度測定値の少なくとも一方を監視装置から取得する取得手段（例えば、図３の電圧温度取得部３５）と、取得手段によって取得されたテストモードにおける予備電源の時系列の電圧測定値または温度測定値の少なくとも一方に基づき、予備電源の状態を判定する判定手段（例えば、図３の判定部３６）と、判定手段の判定結果を示す情報を送信する送信手段（例えば、図３の通信部３１）とを含む。
【００４４】
請求項６に記載の情報処理方法は、主電源が停電したときに主電源に代わって給電を行うための予備電源を備える監視装置に対し、予備電源の状態をテストするためのテストモードの開始を指示する指示ステップ（例えば、図４のステップＳ１１）と、テストモードにおける予備電源の時系列の電圧測定値または温度測定値の少なくとも一方を監視装置から取得する取得ステップ（例えば、図４のステップＳ１２）と、取得ステップの処理で取得されたテストモードにおける予備電源の時系列の電圧測定値または温度測定値の少なくとも一方に基づき、予備電源の状態を判定する判定ステップ（例えば、図４のステップＳ１３）と、判定ステップの処理での判定結果を示す情報を送信する送信ステップ（例えば、図４のステップＳ１４）とを含む。
【００４５】
請求項８に記載の情報処理装置（例えば、図１の制御装置１４および監視装置１２）は、所定の端末装置から、予備電源の状態をテストするためのテストモードの開始を指示されたとき、または主電源が停電したとき、給電元を主電源から予備電源に切り換える切り換え手段（例えば、図２の電力切換部２２）と、切り換え手段によって給電元が主電源から予備電源に切り換えられた状態で、予備電源の時系列の電圧または温度の少なくとも一方を測定する測定手段（例えば、図２の電圧測定部２５および温度測定部２６）と、測定手段の測定結果に基づき、予備電源の状態を判定する判定手段（例えば、図３の判定部３６）と、判定手段の判定結果を示す情報を端末装置に送信する送信手段（例えば、図３の通信部３１）とを含むことを特徴とする。
【００４６】
請求項９に記載の情報処理方法は、所定の端末装置から、予備電源の状態をテストするためのテストモードの開始を指示されたとき、または主電源が停電したとき、給電元を主電源から予備電源に切り換える切り換えステップ（例えば、図４のステップＳ２１）と、切り換えステップの処理で給電元が主電源から予備電源に切り換えられた状態で、予備電源の時系列の電圧または温度の少なくとも一方を測定する測定ステップ（例えば、図４のステップＳ２３）と、測定ステップの処理での測定結果に基づき、予備電源の状態を判定する判定ステップ（例えば、図４のステップＳ１３）と、判定ステップの処理での判定結果を示す情報を端末装置に送信する送信ステップ（例えば、図４のステップＳ１４）とを含むことを特徴とする。
【００４７】
請求項１１に記載の情報処理装置（例えば、図１の制御装置１４および監視装置１２）は、所定の端末装置から、電源の状態をテストするためのテストモードの開始を指示されたとき、電源の時系列の電圧または温度の少なくとも一方を測定する測定手段（例えば、図２の電圧測定部２５および温度測定部２６）と、測定手段の測定結果に基づき、電源の状態を判定する判定手段（例えば、図３の判定部３６）と、判定手段の判定結果を示す情報を端末装置に送信する送信手段（例えば、図３の通信部３１）とを含む。
【００４８】
請求項１３に記載の情報処理方法は、所定の端末装置から、電源の状態をテストするためのテストモードの開始を指示されたとき、電源の時系列の電圧または温度の少なくとも一方を測定する測定ステップ（例えば、図４のステップＳ２３）と、測定ステップの処理の測定結果に基づき、電源の状態を判定する判定ステップ（例えば、図４のステップＳ１３）と、判定ステップの処理での判定結果を示す情報を端末装置に送信する送信ステップ（例えば、図４のステップＳ１４）とを含む。
【００４９】
なお、本発明の請求項に記載の構成要件と、発明の実施の形態における具体例との対応関係は、上述した本発明の情報処理方法のものと同様であるので、その記載は省略する。
【００５０】
以下、本発明を適用した具体的な実施の形態について、図面を参照しながら詳細に説明する。
【００５１】
図１は、本発明の一実施の形態である高圧受電設備監視システムの構成例を示している。この高圧受電設備監視システム１は、電力を大量に使用する工場等に対して安定した電力を供給する高圧受電設備１１、高圧受電設備１１の状態（電力、停電、温度、漏洩電流値等）を監視するとともに監視結果を通信回線１３を介して制御装置１４に通知する監視装置１２、電話回線や光ケーブルやインターネット等の任意の通信媒体から通信回線１３、監視装置１２から通知された高圧受電設備１１の状態を、インターネット１５を介して開示したり、あるいは電子メールに記載して送信したりする制御装置１４、並びに監視装置１２の保守監視員によって操作される携帯電話機１７およびパーソナルコンピュータ（ＰＣ）１８から構成される。
【００５２】
監視装置１２は、高圧受電設備１１の状態を監視するだけでなく、内蔵する予備電源２４（図２）のバッテリテストモード時における時系列の電圧測定値および温度測定値も監視し、通信回線１３を介して制御装置１４に通知する。制御装置１４は、監視装置１２から通知された予備電源２４のバッテリテストモード時における時系列の電圧測定値および温度測定値に基づき、予備電池２４の劣化の程度を判定し、判定結果を電子メールに記述して携帯電話機１７およびパーソナルコンピュータ１８のユーザ（監視装置１２の保守監視員）宛に送信する。
【００５３】
携帯電話機１７は、電話機能の他、電子メール送受信機能、インターネット１５上のホームページを閲覧するブラウジング機能を有しており、携帯電話回線１６およびインターネット１５を介して、制御装置１４によって開設されたホームページにアクセスし、そこに開示されている高圧受電設備１１の状態をユーザ（保守監視員）に提示する。また、制御装置１４から送信された電子メールを受信してその文面をユーザに提示する。
【００５４】
パーソナルコンピュータ１８は、携帯電話機１７と同様、インターネット１５を介して制御装置１４によって開設されたwebサーバ（不図示）にアクセスし、そこに開示されている高圧受電設備１１の状態をユーザに提示したり、制御装置１４から送信された電子メールを受信してその文面をユーザに提示したりする。
【００５５】
携帯電話機１７およびパーソナルコンピュータ１８は、所定のURL(Uniform Resource Locator)にアクセスすることによってそれぞれに画面に表示させることができるバッテリテストモード設定画面５１（図５）において監視装置１２に内蔵されている予備電源２４の劣化状態を取得することができる。
【００５６】
次に、図２は監視装置１２の構成例を示している。この監視装置１２は、高圧受電設備１１１の状態を監視し、監視結果を通信回線１３を介して制御装置１４に通知するものであり、通常（非停電時）は図示せぬ主電源から供給される電力を利用してこれら一連の処理を実行し、主電源が停電となったときは予備電源２４を利用して動作するようになされている。
【００５７】
監視装置１２の状態監視部２１は、高圧受電設備１１１の状態を監視し、監視結果である高圧受電設備１１の状態（電力、停電、温度、漏洩電流値等）を示す情報を、通信部２７に出力する。
【００５８】
電力切換部２２は、非停電時は主電源からの電力を監視装置１２の各部に供給し、主電源が停電したとき、予備電源２４からの電力を監視装置１２の各部に供給する。ただし、電力切換部２２から監視装置１２の各部に対する給電ラインの図示は省略する。また電力切換部２２は、テストモード設定部２３からバッテリテストモードの開始を指示されたとき、主電源が停電したとき、予備電源２４からの電力を監視装置１２の各部に供給する。さらに、電力切換部２２は、主電源の停電発生時あるいはバッテリテストモード開始に対応して電源を予備電源２４に切り換えたとき、および主電源の停電復旧時あるいはバッテリテストモード終了に対応して電源を主電源に切り換えたとき、その旨を示す情報を通信部２７に出力する。
【００５９】
テストモード設定部２３は、通信部２７からバッテリテストモード開始を指示するコマンドが入力されたとき、電力切換部２２にバッテリテストモードの開始を指示する。
【００６０】
予備電源２４は、主電源によって充電される充電式バッテリから成り、充電の繰り返しによるメモリ効果や経年劣化等発生したときに換装できるよう監視装置１２に対して着脱可能とされている。電圧測定部２５は、通信部２７から電圧測定開始を指示するコマンドが入力されたとき、所定の期間、所定の周期で、予備電源２４の電圧を測定し、時系列の電圧測定値を通信部２７に出力する。温度測定部２６は、通信部２７から温度測定開始を指示するコマンドが入力されたとき、所定の期間、所定の周期で、予備電源２４の温度を測定し、時系列の温度測定値を通信部２７に出力する。
【００６１】
通信部２７は、状態監視部２１から入力される高電圧受電設備１１の状態を示す情報、電力切換部２２から入力される電源を切り換えたことを示す情報、電圧測定部２５から入力される予備電源２４の時系列の電圧測定値、および温度測定部２６から入力される予備電源２４の時系列の温度測定値を、通信回線１３を介して制御装置１４に通知する。また、通信部２７は、制御装置１４が送信したバッテリテストモードの開始を指示するコマンド、電圧測定開始を指示するコマンド、および温度測定開始を指示するコマンドを通信回線１３を介して受信し、それぞれのコマンドをバッテリテストモード設定部２３、電圧測定部２５、または温度測定部２６に出力する。さらに、通信部２７は、入力部２８から操作信号が入力されたとき、当該操作信号を通信回線１３を介して制御装置１４に送信する。
【００６２】
入力部２８は、例えば監視装置１２の筐体側面に設けられたボタンスイッチ等からなり、当該ボタンスイッチ等が保守業務員等によって操作されたとき、操作信号を通信部２７に出力する。なお、当該操作信号が送信されたことに対応して制御装置１４は、バッテリテストモード設定画面５１を表示するためのURLが記述されている電子メールを保守業務員の携帯電話機１７に送信するようになされている。
【００６３】
次に、図３は制御装置１４の構成例を示している。
【００６４】
通信部３１は、インターネット１５を介してwebサーバ（不図示）にアクセスし、高圧受電設備１１の状態を示すホームページのデータ（通知情報生成部３７によって生成される）をアップロードする。また、通信部３１は、インターネット１５を介してメールサーバ（不図示）にアクセスし、携帯電話機１７やパーソナルコンピュータ１８のユーザ（保安業務員）宛のメール（通知情報生成部３７によって生成される）を送信する。さらに、通信部３１は、バッテリテストモード設定画面５１を用いてバッテリテストモードの開始を要求する携帯電話機１７またはパーソナルコンピュータ１８からの通知を受信し、コマンド発生部３４に出力する。
【００６５】
CPU(Central Processing Unit)等からなる制御部３２は、記録媒体３３に記録されているプログラムを実行することにより、コマンド発生部３４、電圧温度取得部３５、判定部３６、および通知情報生成部３７等の機能ブロックを実現する。
【００６６】
コマンド発生部３４は、バッテリテストモード設定画面５１を用いてバッテリテストモードの開始を要求する携帯電話機１７またはパーソナルコンピュータ１８からの通知に対応し、バッテリテストモードの開始を指示するコマンドを発生して通信部３８に出力する。また、コマンド発生部３４は、予備電源２４の電圧測定開始を指示するコマンド、および温度測定開始を指示するコマンドも発生して通信部３８に出力する。さらに、コマンド発生部３４は、バッテリテストモードの終了を指示するコマンドを発生して通信部３８に出力する。
【００６７】
電圧温度取得部３５は、監視装置１２から送信され、通信部３８によって受信されたバッテリテストモードにおける予備電源２４の時系列の電圧測定値および温度測定値を取得して判定部３６に出力する。
【００６８】
判定部３６は、バッテリテストモードにおける予備電源２４の時系列の電圧測定値および温度測定値に基づいて予備電源２４の劣化状態を判定し、判定結果を通知情報生成部３７に出力する。
【００６９】
予備電源２４の劣化状態を判定する判定部３６の処理について説明する。一般に、予備電源２４を構成する充電式バッテリの端子電圧は、使用（充放電の繰り返しおよび経年）に起因して低下する場合（以下、第１の場合と称する）と、周囲温度に起因して低下するう場合（以下、第２の場合と称する）がある。基本的に、第１の場合では充電式バッテリが新品であるほど電圧は高く、長時間電圧が低下しない。第２の場合では高温ほど電圧は高く、低温ほど電圧は下がる。また時間経過を横軸、電圧を縦軸としてグラフにプロットした場合、放電開始直後（電力供給が主電源から予備電源２４に切り換えられた直後）は急峻な電圧の立下りカーブを描き、その後平坦なカーブを描きながら上記第１の場合と第２の場合の要素によって徐々に電圧の下降カーブが急になる。
【００７０】
判定部３６では、監視装置１２における予備電源２４の最低保証電圧値（下限値）を所定の値(例えば、６．５Ｖ)として、測定された電圧が下限値を下回るか否かを判断しているが、場合によっては、測定された電圧が下限値を上回っていても予備電源２４が劣化していることがあるので、以下の第１乃至第３の判定法を採用している。
【００７１】
実際の判定処理では、まず実測データにそのときの温度情報からディレーティング（値を上下）し、放電開始後から所定の時間だけ経過した後の電圧を用いて判定する。
【００７２】
第１の判定方法：上述した放電開始直後では正確な電圧判定ができないため、放電開始直後の急峻な立下り後の所定の時間後（例えば３分後）の安定（平坦）ゾーンにおける、温度特性をディレーティングしたデータ（電圧値）を測定する。その値が下限値（例えば６．５Ｖ）よりも高いか低いかにより劣化の有無を判定する。
【００７３】
第２の判定方法：第１の判定方法と同様、放電開始直後から所定の時間だけ経過後における値（カーブ）の傾きを微分法により計算する。この傾きが急であれば劣化が進んでおり、まもなく最低保証電圧を割る可能性が高いので、仮に測定した電圧が下限値よりも高い値を示していても劣化していると判定するようにする。
【００７４】
第３の判定方法：判定部３６の内部に過去の判定履歴（予備電源２４の電圧測定値と、測定時点からの寿命との関係を含む）を保持するようにし、いつ頃予備電源２４の寿命がくるのかを予測し、その予測結果に基づいて判定を行う。例えば、あと何回までの保守点検までに電池交換が必要、というような判定が可能となる。
【００７５】
なお、上述した第１乃至第３の判定方法の他、例えば、時系列の電圧測定値と、予め保持している時系列の電圧変化パターン（充電用バッテリのメーカから提供を受けるものとする）とを比較して、予備電源２４の異常の有無、次回換装時期等を判定するようにしてもよい。
【００７６】
通知情報生成部３７は、判定部３６から入力される判定結果を記述した、携帯電話機１７およびパーソナルコンピュータ１８のユーザ宛先を電子メールを作成して通信部３１に出力する。また、通知情報生成部３７は、通信部３８によって受信される高圧受電設備１１の状態を示す情報に基づき、高圧受電設備１１の状態を示すホームページのデータを生成して通信部３１に出力する。さらに、通知情報生成部３７は、通信部３８によって受信される監視装置１２の入力部２８が操作されたことに対応する操作信号に対応し、バッテリテストモード設定画面５１を表示するためのURLが記述されている、携帯電話機１７のユーザ宛の電子メールを生成して通信部３１に出力する。
【００７７】
通信部３８は、通信回線１３を介して監視装置１２と接続し、監視装置１２から送信される高電圧受電設備１１の状態を示す情報を通知情報生成部３７に出力し、バッテリテストモードにおける予備電源２４の時系列の電圧測定値および温度測定値を判定部３６に出力し、電源を切り換えたことを示す情報をコマンド発生部３４に出力する。
【００７８】
次に、高圧受電設備監視システム１におけるバッテリテストモード処理、すなわち、監視装置１２の予備電源２４の劣化状態を確認する処理について、図４のフローチャートを参照して説明する。以下、当該システムの保守業務員は携帯電話機１７を使用するものとする。ただし、携帯電話機１７の代わりにパーソナルコンピュータ１８を使用することも可能である。
【００７９】
ステップＳ１において、携帯電話機１７は、ユーザ（保守業務員）の操作に従い、所定のURLにアクセスして、ディスプレイに図５に示すようなバッテリテストモード設定画面５１を表示する。
【００８０】
なお、当該所定のURLは携帯電話機１７に予め登録されている。また、保守業務員が監視装置１２の設置場所に赴いて入力部２８を操作し、それに対応して携帯電話機１７に送信された電子メールに記載されているURLにアクセスすることによっても、携帯電話機１７にバッテリテストモード設定画面５１を表示させることができる。
【００８１】
バッテリテストモード設定画面５１には、バッテリテストモードの開始を指示するためのボタン５２、バッテリテストモードの解除を指示するためのボタン５３、およびユーザの選択位置を示すカーソル５４が設けられている。ユーザはカーソル５４を移動させてボタン５２を選択し、所定の操作によりカーソル５４の選択を確定することによってバッテリテストモードの開始を指示することができる。
【００８２】
ステップＳ２において、携帯電話機１７は、ユーザからバッテリテストモード開始が指示されたか否かを判定し、ユーザから指示されるまで待機する。ユーザからバッテリテストモード開始が指示された場合、処理はステップＳ３に進む。ステップＳ３において、携帯電話機１７は、バッテリテストモード開始が指示された旨の情報を、携帯電話回線１６およびインターネット１５を介して制御装置１４に通知する。
【００８３】
この通知に対応し、ステップＳ１１において制御装置１４のコマンド発生部３４は、バッテリテストモード開始を指示するコマンドを発生して通信部３８に出力する。通信部３８は通信回線１３を介して監視装置１２に当該コマンドを送信する。
【００８４】
ステップＳ２１において監視装置１２の通信部２７は、当該コマンドを受信してテストモード設定部２３に出力する。テストモード設定部２３は、電力切換部２２にバッテリテストモードの開始を指示する。この指示に対応して電力切換部２２は、主電源からの給電を止め、予備電源２４からの給電に切り換える。ステップＳ２３において電力切換部２２は、停電警報を発生して通信部２７に出力する。通信部２７は入力された停電警報を、通信回線１３を介して制御装置１４に送信する。
【００８５】
この停電警報に対応し、ステップＳ１２において制御装置１４のコマンド発生部３４は、予備電源２４の電圧測定開始を指示するコマンド、および温度測定開始を指示するコマンドも発生して通信部３８に出力する。通信部３８は通信回線１３を介して監視装置１２に当該両コマンドを送信する。
【００８６】
ステップＳ２３において、監視装置１２の通信部２７は、当該両コマンドを受信してそれぞれを電圧測定部２５または温度測定部２６に出力する。電圧測定部２５は、通信部２７から入力されたコマンドに対応し、所定の期間、所定の周期で、予備電源２４の電圧を測定し、時系列の電圧測定値を通信部２７に出力する。一方、温度測定部２６も、通信部２７から入力されたコマンドに対応し、所定の期間、所定の周期で、予備電源２４の温度を測定し、時系列の温度測定値を通信部２７に出力する。通信部２７は電圧測定部２５から入力された時系列の電圧測定値、および温度測定部２６から入力された時系列の温度測定値を、通信回線１３を介して制御装置１４に送信する。この後、ステップＳ２３において監視装置１２は、電力消費を抑えた節電モードに移行する。
【００８７】
ステップＳ１３において制御装置１４の電圧温度取得部３５は、監視装置１２から送信され、通信部３８によって受信された予備電源２４の時系列の電圧測定値および温度測定値を取得して判定部３６に出力する。判定部３６は、予備電源２４の時系列の電圧測定値および温度測定値に基づいて予備電源２４の劣化状態を判定し、判定結果を通知情報生成部３７に出力する。ステップＳ１４において通知情報生成部３７は、判定部３６から入力された判定結果を記述した、携帯電話機１７およびパーソナルコンピュータ１８のユーザ宛先を電子メールを作成して通信部３１に出力する通信部３１は当該電子メールをインターネット１５を介して送信する。ステップＳ４において携帯電話機１７は、制御装置１４から送信された当該電子メールを受信してディスプレイに表示する。
【００８８】
ここで、通知情報生成部３７によって作成される電子メールの例を示す。図６は判定部３６によって予備電源２４が正常であると判定されたときに作成される電子メールの一例である。図７は判定部３６によって予備電源２４が異常であると判定されたときに作成される電子メールの一例である。
【００８９】
ステップＳ１５においてコマンド発生部３４は、バッテリテストモード終了を指示するコマンドを発生して通信部３８に出力する。通信部３８は通信回線１３を介して監視装置１２に当該コマンドを送信する。
【００９０】
ステップＳ２５において監視装置１２の通信部２７は、当該コマンドを受信してテストモード設定部２３に出力する。テストモード設定部２３は、電力切換部２２にバッテリテストモードの終了を指示する。この指示に対応して電力切換部２２は、予備電源２４からの給電を止め、主電源からの給電に切り換える。ステップＳ２６において電力切換部２２は、停電復旧完了を示す通知を発生して通信部２７に出力する。通信部２７は入力された当該通知を、通信回線１３を介して制御装置１４に送信する。
【００９１】
以上で高圧受電設備監視システム１によるバッテリテストモード処理の説明を終了する。
【００９２】
以上説明したように、高圧受電設備監視システム１によるバッテリテストモード処理によれば、遠隔地に存在する保守業務員からの指示に従って、予備電源２４に停電時と同様の負荷をかけた状態で予備電源２４の時系列の電圧測定値と温度測定値を得ることができ、予備電源２４の時系列の電圧測定値と温度測定値に基づいて判定された予備電源２４の劣化状態を保守業務員に通知することができる。
【００９３】
なお、監視装置１２と制御装置１４を一体化するようにしてもよい。
【００９４】
また、本発明は、高圧受電設備の状態を監視するシステムだけでなく、例えば図８に示すような、自動車の盗難等を監視する警報装置７２、主電源としての車載バッテリ７３、および予備電源７４からなるカーセキュリティシステム７１に適用することができる。また、図９に示すような、家屋に対する侵入等を監視する警報装置８２、および予備電源８３を備えたホームセキュリティシステム８１に適用することが可能である。さらに、主電源の停電に備えて予備電源が設けられているあらゆるシステムに適用することが可能である。
【００９５】
さらにまた、本発明は、主電源と予備電源を備えるシステムのみならず、電源としてバッテリだけを備える監視システム（例えば、図８に示された構成において、車載バッテリ７３から警報装置７２への給電をなくし、警報装置７２の給電元を予備電源７４のみとしたカーセキュリティシステム７１、あるいは、図９に示された構成において、警報装置８２の給電元を予備電源８３のみとしたホームセキュリシステム８１）に適用することが可能である。
【００９６】
また、本明細書において、システムとは、複数の装置により構成される装置全体を表すものである。
【図面の簡単な説明】
【００９７】
【図１】本発明を適用した高圧受電設備監視システムの構成例を示すブロック図である。
【図２】図１の監視装置の構成例を示すブロック図である。
【図３】図１の制御装置の構成例を示すブロック図である。
【図４】高圧受電設備監視システムによるバッテリテストモード処理を説明するフローチャートである。
【図５】バッテリテストモード設定画面の表示例を示す図である。
【図６】予備電源の状態を通知する電子メールの表示例を示す図である。
【図７】予備電源の状態を通知する電子メールの表示例を示す図である。
【図８】本発明を適用したカーセキュリティシステムの構成例を示すブロック図である。
【図９】本発明を適用したホームセキュリティシステムの構成例を示すブロック図である。
【符号の説明】
【００９８】
１  高圧受電設備監視システム
１１  高圧受電設備
１２  監視装置
１４  制御装置
１７  携帯電話機
１８  パーソナルコンピュータ
２１  状態監視部
２２  電力切換部
２３  テストモード設定部
２４  予備電源
２５  電圧測定部
２６  温度測定部
２７  通信部
２８  入力部
３１  通信部
３２  制御部
３３  記憶媒体
３４  コマンド発生部
３５  電圧温度取得部
３６  判定部
３７  通知情報生成部
【図１】
2006311648.tif 000003
【図２】
2006311648.tif 000004
【図３】
2006311648.tif 000005
【図４】
2006311648.tif 000006
【図５】
2006311648.tif 000007
【図６】
2006311648.tif 000008
【図７】
2006311648.tif 000009
【図８】
2006311648.tif 000010
【図９】
2006311648.tif 000011